(57)【要約】【課題】洗浄水の水圧で洗浄ノズルを突出させる方式において、薄板金属材の深絞り加工で形成された洗浄ノズルを用いる場合でも、ノズル突出途中の洗浄水の噴出高さを抑制すること。【解決手段】便器上に載置された本体５と、水圧を受けて突出し人体局部を洗浄する洗浄ノズル８と、洗浄ノズル８を進退自在に収納するノズルシリンダ６を備え、洗浄ノズル８は薄板金属材の深絞り加工で形成し、先端に複数の水噴出孔１１を配置することにより、水噴出孔１１での圧力損失が大きくなりノズル突出時の噴出高さを抑制することが出来る。【選択図】  図１
2004285666.tif 000002
【特許請求の範囲】
【請求項１】
便器上に載置された本体と、水圧を受けて突出し人体局部を洗浄する洗浄ノズルと、前記洗浄ノズルを進退自在に収納するノズルシリンダを備え、前記洗浄ノズルは薄板金属材の深絞り加工で形成し、先端に複数の水噴出孔を配置したことを特徴とするトイレ装置。
【請求項２】
複数の水噴出孔の間隔を、３〜５ｍｍとしたことを特徴とする請求項１記載のトイレ装置。
【請求項３】
複数の水噴出孔の間隔を、３ｍｍ未満としたことを特徴とする請求項１記載のトイレ装置。
【請求項４】
洗浄ノズルの先端に平坦部を有し、水噴出孔を前記平坦部に配置したことを特徴とする請求項１〜３のいずれか１項に記載のトイレ装置。
【発明の詳細な説明】
【０００１】
【発明の属する技術分野】
本発明は、人体局部を洗浄するトイレ装置に関するものである。
【０００２】
【従来の技術】
現在、温水洗浄装置は広く用いられており、局部洗浄用ノズルは樹脂成形品が一般的である。しかしながら近年、局部洗浄用ノズルに、より清潔感を求める声が高まっており、その要望に答えるにはお手入れ時に制約が少なく、汚れの付きにくい金属製であることが望ましい。
【０００３】
従来の人体局部を洗浄する金属製の洗浄ノズルとしては、汚物をたまりにくくするため、シームレス構造としたものがあった（例えば、特許文献１参照）。図５は、前記特許文献１に記載された従来のトイレ装置を示すものである。
【０００４】
図５において、洗浄ノズル８は金属製のシームレス構造である本体の中に、２つの独立した洗浄水路１５と、その先端に洗浄水を噴出する水噴出孔１１が配置されている。
【０００５】
【特許文献１】
特開２００１−３４８９４０号公報（第３図）
【０００６】
【発明が解決しようとする課題】
しかしながら、前記従来の構成では、独立した水路構成とするため完全な薄肉のノズルではなく、樹脂などにより水路を構成し、さらにその周囲を金属で覆うことが必要となる。そのためノズル重量の増加をまねき、水圧を受けて突出する洗浄ノズルに採用すると、洗浄ノズル自体の重量増加によりノズル突出性能がきわめて悪化してしまう。一方、重量軽減のためノズルを完全な薄肉構造とした場合、樹脂ノズルに比べ圧力損失が少なくなり、さらに水噴出孔が１つであるため、ノズル突出の途中において前記水噴出孔より洗浄水が高く噴出し、着座している使用者の局部より手前で人体に当たってしまうという課題を有していた。
【０００７】
本発明は、前記従来の課題を解決するもので、ノズルが完全に突出するまでの水噴出孔から洗浄水の噴出を抑えて、局部より手前の人体に洗浄水が当たってしまうのを防止することを目的とする。
【０００８】
【課題を解決するための手段】
前記従来の課題を解決するために、本発明のトイレ装置は、便器上に載置された本体と、水圧を受けて突出し人体局部を洗浄する洗浄ノズルと、洗浄ノズルを進退自在に収納するノズルシリンダを備え、洗浄ノズルは薄板金属材の深絞り加工で形成し、先端に複数の水噴出孔を配置したことを特徴とするものである。これにより、清潔感が増し、重量を軽減できるとともに、さらにノズル突出時の噴出高さを抑制することが出来る洗浄ノズルを提供することができる。
【０００９】
【発明の実施の形態】
請求項１に記載の発明は、便器上に載置された本体と、水圧を受けて突出し人体局部を洗浄する洗浄ノズルと、洗浄ノズルを進退自在に収納するノズルシリンダを備え、洗浄ノズルは薄板金属材の深絞り加工で形成し、先端に複数の水噴出孔を配置したものである。これによって、ノズルが完全に突出するまでの噴出高さを抑制することが出来る。
【００１０】
請求項２に記載の発明は、特に請求項１に記載の複数の水噴出孔の間隔を、３〜５ｍｍとしたことを特徴とするものである。これにより、複数の水噴出孔から噴出する洗浄水は分散し、ソフトな洗浄感を得ることが出来る。
【００１１】
請求項３に記載の発明は、特に請求項１に記載の複数の水噴出孔の間隔を、３ｍｍ未満としたことを特徴とするものである。これにより、複数の水噴出孔から噴出する洗浄水は集中し、ハードな洗浄感を得ることが出来る。
【００１２】
請求項４に記載の発明は、特にノズルの先端に平坦部を有し、水噴出孔を平坦部に配置したことを特徴としたものである。これにより、噴出孔を複数設けても、洗浄水の噴出方向を揃えることが出来る。
【００１３】
【実施例】
以下、本発明の実施例について、図面を参照しながら説明する。
【００１４】
（実施例１）
図１は、本発明の第１の実施例におけるトイレ装置の洗浄ノズルの縦断面図を示すものであり、図１（ａ）は、洗浄ノズルがノズルシリンダに収納された状態を示し、図１（ｂ）は、洗浄ノズルが洗浄位置まで移動した状態を示している。図２は同トイレ装置の洗浄ノズルの斜視図であり、図３は同トイレ装置の外観斜視図である。
【００１５】
図１（ａ）において、本体５内で暖められた温水が、ホース１２を通じてノズルシリンダ６の中に納められた外周をスプリング７で巻かれた薄板金属材の深絞り加工で形成した洗浄ノズル８のフランジ部９に通流され、その受圧力で洗浄ノズル８が前方へ移動する。その後、図１（ｂ）に示すように、温水が洗浄ノズル８内に導かれ、再びフランジ部９がノズルシリンダ６の段付部１０に当接し、ストッパーとなり、洗浄ノズル８の先端部に設けた複数の水噴出孔１１から噴出され人体局部を洗浄する。そして、洗浄が終了し、通流が止まるとスプリング７の付勢力で洗浄ノズル８は後方へ戻り、図１（ａ）に示すように洗浄ノズル８は再びノズルシリンダ６内へ納められる。１３は洗浄ノズル８と同機能を持つ女性の局部を専用に洗う洗浄ノズルである。
【００１６】
なお、トイレ装置は、図３に示すように、洗浄ノズル８、および、洗浄ノズル８と同機能を持つ女性の局部を専用に洗う洗浄ノズル１３を有する本体５と、ヒータ（図示せず）を内装した便座１と、便座を覆う便蓋２から構成されている。
【００１７】
以上のように構成されたトイレ装置において、洗浄ノズル８を薄板金属材の深絞り加工で形成することにより、お手入れ時の洗剤の種類によっては割れたり、、高温水では洗えないといった従来の洗浄ノズルにあった制約が少なく、汚れの付きにくい清潔感の増した洗浄ノズル８を提供できる。さらに、薄肉であることから重量も軽減でき、洗浄水の水圧で洗浄ノズルを突出させる方式において、洗浄ノズルの突出および収納性能を安定させることができる。
【００１８】
ここで、完全な薄肉で洗浄ノズル８を構成すると、従来の樹脂ノズルに比べ圧力損失が少なくなり、その分突出時に水噴出孔１１からの噴出水量が増加する傾向となるため、水噴出孔１１が一つであった場合、ノズル突出の途中において前記噴出孔より洗浄水が高く噴出し、着座している使用者の局部より手前で人体に当たってしまうという可能性が高いが、本実施例では、水噴出孔１１を複数の噴出孔で構成し、合計した噴出孔の開口面積を同じとしているので、合計した孔の外周面積が増加し、水噴出孔１１での圧力損失が大きくなり、ノズルが突出するまでの噴出高さを抑制することが出来る。
【００１９】
また、ノズルシリンダ６内には常に空気が混入しており、不定期に水噴出孔１１から空気が抜ける現象がある。この際、水噴出孔が１つであった場合には空気が抜ける時に洗浄水が大きく揺らぎ、使用者に不快感を与えてしまう。これに対し、本実施例のように水噴出孔１１を複数とすると、空気はこの複数の水噴出孔１１のいずれか一つの孔または分散して噴出するため、一つに比べて洗浄水の揺らぎが少なく安定した洗浄感を提供できる。
【００２０】
また、水噴出孔１１の複数の孔径を異なるように構成し、さらに前方の孔径を他方よりも大きい孔径とした場合、前方に設けた噴出孔を主噴流として機能させ、後方の水噴出孔は洗浄水中の空気を噴出する孔として機能させることで、さらに安定した洗浄力を得ることができる。
【００２１】
また、複数の水噴出孔１１の間隔を３〜５ｍｍとした場合、噴流は独立したまま人体局部を洗浄するため、洗浄面積を広く保つことができ、ソフトな洗浄感を得ることができる。
【００２２】
また、複数の水噴出孔１１の間隔を３ｍｍ未満とした場合、噴流は互いに影響し引き寄せ合う性質があるため、人体局部を集中して洗浄することになり、ハードな洗浄感を得ることができる。
【００２３】
また、図４に示すように洗浄ノズル８の先端に平坦部１４を有し、水噴出孔１１を平坦部１４に配置した場合、洗浄水の噴出方向を揃えることができる。
【００２４】
ここで金属材をステンレスとした場合は、錆びにくくなり掃除性をよくすることができる。また、金属材にアルミを用いた場合は、安価で加工しやすい。
【００２５】
【発明の効果】
以上のように、本発明によれば、洗浄水の水圧で洗浄ノズルを突出させる方式において、薄板金属材の深絞り加工で形成された洗浄ノズルを用いる場合でも、ノズル突出途中の洗浄水の噴出高さを抑制することが出来る。
【図面の簡単な説明】
【図１】（ａ）本発明の実施例１におけるトイレ装置の洗浄ノズルがシリンダパイプに収納された状態の断面図
（ｂ）本発明の実施例１におけるトイレ装置の洗浄ノズルがが洗浄位置まで移動した状態の断面図
【図２】同トイレ装置の洗浄ノズルの斜視図
【図３】同トイレ装置の外観斜視図
【図４】同トイレ装置の洗浄ノズルの斜視図
【図５】従来のトイレ装置の斜視図
【符号の説明】
５  本体
６  ノズルシリンダ
８  洗浄ノズル
１１  水噴出孔
１４  平坦部
【図１】
2004285666.tif 000003
【図２】
2004285666.tif 000004
【図３】
2004285666.tif 000005
【図４】
2004285666.tif 000006
【図５】
2004285666.tif 000007